(57)【要約】【課題】撮像装置の把持部に設けられた蓋部材が所定の開き角度でそれ以上の開き方向の回動が規制された状態で、蓋部材の先端部に大きな開き方向の過重が加えられても、蓋部材が破損することがない技術を提供する。【解決手段】撮像装置は、装置本体に対して回動可能に支持される把持部１０３とを備え、把持部１０３は、係合爪４０２が設けられたベース部２０８と、係合爪４０２に係脱可能に係合する凸形状部３０２が設けられてベース部２０８に対して閉じ位置と装置本体に接触する開き位置との間で回動可能に支持され、閉じ位置と開き位置との間で凸形状部３０２が係合爪４０２に係合することで開き方向の回動が規制される蓋部材２０２とを有する。蓋部材２０２は、把持部１０３が回動したとき、装置本体に接触しない開き角度で凸形状部３０２が係合爪４０２に係合し、係合爪４０２は、係合爪４０２に凸形状部３０２が係合した状態で蓋部材２０２に対して所定の開き方向の力が加わったとき、前記係合が解除されるように弾性変形する。【選択図】図９
2016166933.tif 000002
【特許請求の範囲】
【請求項１】
装置本体と、前記装置本体に対して回動可能に支持され、撮影者が把持するための把持部と、を備える撮像装置であって、
前記把持部は、
係合爪が設けられたベース部と、
前記係合爪に係脱可能に係合する凸形状部が設けられて前記ベース部に対して閉じ位置と前記装置本体に接触する開き位置との間で回動可能に支持され、前記閉じ位置と前記開き位置との間で前記凸形状部が前記係合爪に係合することで開き方向の回動が規制される蓋部材と、を有し、
前記蓋部材は、前記把持部が前記装置本体に対して回動したとき、前記装置本体に接触しない開き角度で前記凸形状部が前記係合爪に係合し、
前記係合爪は、前記係合爪に前記凸形状部が係合した状態で前記蓋部材に対して所定の開き方向の力が加わったとき、前記係合が解除されるように弾性変形することを特徴とする撮像装置。
【請求項２】
前記係合爪の前記凸形状部が係合する係合面は、前記凸形状部との係合部と前記蓋部材の回動軸の中心とを結ぶ線に対して略平行な面であり、
前記係合爪の前記係合面の反対側の面には、斜面部が形成されていることを特徴とする請求項１に記載の撮像装置。
【請求項３】
前記蓋部材を開き方向に付勢する開きバネを有し、
前記開きバネは、前記係合爪と前記凸形状部との係合が解除された後は、前記蓋部材を開き方向に付勢しないように設けられることを特徴とする請求項１又は２に記載の撮像装置。
【発明の詳細な説明】
【技術分野】
【０００１】
本発明は、例えばデジタルカメラやデジタルビデオカメラ等の撮像装置に関し、特に撮像装置の蓋構造の改良に関する。
【背景技術】
【０００２】
デジタルビデオカメラ等の撮像装置では、撮影者が把持する回転式のグリップ部の内部に、電池を挿脱可能に収納する電池室等を設けたものがある。電池室の電池挿脱口は、グリップ部に対して回動可能に支持された蓋部材により開閉可能に覆われる。
【０００３】
しかし、このような蓋構造では、蓋部材をカメラ本体側に開いたとき、蓋部材の回動軸の周囲の面がカメラ本体の外装に衝突して傷が付くおそれがある。また、蓋部材を開いて電池室に対して電池を挿脱する際に、蓋部材がユーザの意図に反して閉まることがあり、電池を挿脱する際の操作性を損なう。
【０００４】
そこで、蓋部材が所定の位置まで回動したとき、回動軸の軸受部の外周面等に係合する過開防止部を有する蓋構造が提案されている（特許文献１）。
【先行技術文献】
【特許文献】
【０００５】
【特許文献１】特開２００９−３６９６５号公報
【発明の概要】
【発明が解決しようとする課題】
【０００６】
しかし、上記特許文献１では、過開防止部が回動軸の軸受部の外周面等に係合した状態で蓋部材の先端部付近に開き方向の過重が加えられると、回動軸部付近では大きなモーメント力が発生する。このため、蓋部材の先端部に大きな荷重が開き方向に加えられた場合、過開防止部の係合部が破損したり、蓋部材がカメラ本体に衝突して傷が付く等の可能性がある。
【０００７】
そこで、本発明は、撮像装置の把持部に設けられた蓋部材が所定の開き角度でそれ以上の開き方向の回動が規制された状態で、蓋部材の先端部に大きな開き方向の過重が加えられても、蓋部材が破損することがない技術を提供することを目的とする。
【課題を解決するための手段】
【０００８】
上記目的を達成するために、本発明は、装置本体と、前記装置本体に対して回動可能に支持され、撮影者が把持するための把持部と、を備える撮像装置であって、前記把持部は、係合爪が設けられたベース部と、前記係合爪に係脱可能に係合する凸形状部が設けられて前記ベース部に対して閉じ位置と前記装置本体に接触する開き位置との間で回動可能に支持され、前記閉じ位置と前記開き位置との間で前記凸形状部が前記係合爪に係合することで開き方向の回動が規制される蓋部材と、を有し、前記蓋部材は、前記把持部が前記装置本体に対して回動したとき、前記装置本体に接触しない開き角度で前記凸形状部が前記係合爪に係合し、前記係合爪は、前記係合爪に前記凸形状部が係合した状態で前記蓋部材に対して所定の開き方向の力が加わったとき、前記係合が解除されるように弾性変形することを特徴とする。
【発明の効果】
【０００９】
本発明によれば、把持部に設けられた蓋部材が所定の開き角度でそれ以上の開き方向の回動が規制された状態で、蓋部材の先端部に大きな開き方向の過重が加えられても、蓋部材が破損することがない信頼性の高い蓋構造の提供が可能となる。
【図面の簡単な説明】
【００１０】
【図１】本発明の撮像装置の実施形態の一例であるデジタルカメラを正面側（被写体側）から見た斜視図である。
【図２】図１に示すデジタルカメラを背面側から見た斜視図である。
【図３】図２に示すデジタルカメラを底面側から見た斜視図である。
【図４】図１に示すデジタルカメラを正面側から見て左側の側面図である。
【図５】蓋ユニットを内面側から見た斜視図である。
【図６】図５に示す蓋ユニットの分解斜視図である。
【図７】図６に示す蓋部材の分解斜視図である。
【図８】（ａ）は蓋ユニットの蓋部材が開いた状態を示す斜視図、（ｂ）は（ａ）のＤ部拡大図である。
【図９】（ａ）は図８（ａ）のＣ−Ｃ線断面図、（ｂ）は（ａ）のＥ部拡大図である。
【図１０】（ａ）は係合爪と凸形状部との係合が解除された後の蓋ユニットの斜視図、（ｂ）は（ａ）のＦ部拡大図である。
【図１１】（ａ）は蓋部材の凸形状部が底面カバーの係止面の反対側の斜面部に当接した状態を示す断面図、（ｂ）は（ａ）のＧ部拡大図である。
【図１２】蓋部材が開いた状態でのデジタルカメラを正面側から見た図である。
【図１３】凸形状部と係合面との係合が解除された後、蓋部材をさらに開き方向に回動させた状態をデジタルカメラを正面側から見た図である。
【図１４】図１２の状態から把持部を回動軸を中心として図３の矢印Ａ側に９０°回転させた状態のデジタルカメラを上面側から見た図である。
【図１５】凸形状部と係合面との係合が解除された後、蓋部材をさらに開き方向に回動させた状態をデジタルカメラの上面側から見た図である。
【図１６】図１２の状態から把持部を回動軸を中心として図３の矢印Ｂ側に９０°回転させた状態をデジタルカメラの上面側から見た図である。
【図１７】図１６の状態から蓋部材をさらに開き方向に回動させた状態をデジタルカメラの上面側から見た図である。
【図１８】図１７に示すデジタルカメラを光軸方向の正面側から見た図である。
【図１９】蓋部材を閉じた状態の把持部をカメラ本体の光軸方向の正面側から見た要部拡大断面図である。
【発明を実施するための形態】
【００１１】
以下、図面を参照して、本発明の実施形態の一例を説明する。
【００１２】
図１は、本発明の撮像装置の実施形態の一例であるデジタルカメラを正面側（被写体側）から見た斜視図である。図２は、図１に示すデジタルカメラを背面側から見た斜視図である。図３は、図２に示すデジタルカメラを底面側から見た斜視図である。図４は、図１に示すデジタルカメラを正面側から見て左側の側面図である。
【００１３】
図１乃至図４に示すように、本実施形態のデジタルカメラ１０１は、カメラ本体１０６の正面側（被写体側）にレンズ鏡筒１０２が設けられている。カメラ本体１０６の背面側には、表示ユニット１０５がカメラ本体１０６に対して不図示のヒンジ部を介して開閉方向（図２の上下方向）に回動可能に支持されている。カメラ本体１０６は、本発明の装置本体の一例に相当する。
【００１４】
また、カメラ本体１０６の正面側から見て左側の側部には、撮影者が把持する把持部１０３が回動軸１０４を介して図３の矢印Ａ側に９０°、矢印Ｂ側に９０°それぞれ回動可能に支持されている。把持部１０３の底部には、回動軸２０１（図３参照）を中心に開閉方向に回動可能に支持された蓋部材２０２を含む蓋ユニット２１０が設けられている。把持部１０３は内部には、図４に示すように、電池５０１（破線で示す）の収納室が設けられ、蓋部材２０２を開くことで、収納室に対する電池５０１の挿脱が可能となる。
【００１５】
図５は、蓋ユニット２１０を内面側から見た斜視図である。図６は、図５に示す蓋ユニット２１０の分解斜視図である。
【００１６】
図５及び図６に示すように、蓋ユニット２１０は、把持部１０３の底面側カバーを形成するベース部２０８、蓋部材２０２、及び押さえ部材２０９を有する。ベース部２０８には、蓋部材２０２の回動軸２０１を固定する固定部４０１、及び蓋部材２０２の過開き防止用のストッパとして機能する係合爪４０２が設けられている。
【００１７】
図７は、図６に示す蓋部材２０２の分解斜視図である。図７に示すように、蓋部材２０２には、回動軸２０１が挿入される軸穴部３０１、及びベース部２０８の係合爪４０２に係脱可能に係合して蓋部材２０２の過開きを防止するストッパとして機能する凸形状部３０２が設けられている。蓋部材２０２は、ベース部２０８に対して閉じ位置とカメラ本体１０６に接触する開き位置との間で回動可能に支持され、閉じ位置と開き位置との間で凸形状部３０２が係合爪４０２に係合することで開き方向の回動が規制される。
【００１８】
また、蓋部材２０２は、開きバネ２０５により開き方向に付勢され、ロックノブ２０６により閉じ状態が保持される。ロックノブ２０６は、押さえ板２１１を介して蓋部材２０２の内面側にビス固定され、圧縮バネ２０７によりベース部２０８との係合位置に付勢されている。
【００１９】
図８（ａ）は蓋ユニット２１０の蓋部材２０２が開いた状態を示す斜視図、図８（ｂ）は図８（ａ）のＤ部拡大図である。図８に示すように、ベース部２０８には、バネ当て部４０３が設けられ、蓋部材２０２には、バネ固定部３０３が設けられている。バネ当て部４０３とバネ固定部３０３には、開きバネ２０５が係合し、これにより、蓋部材２０２が開き方向に付勢される。
【００２０】
図９（ａ）は図８（ａ）のＣ−Ｃ線断面図、図９（ｂ）は図９（ａ）のＥ部拡大図である。図９に示すように、蓋部材２０２の開き状態では、ベース部２０８に設けられた係合爪４０２の係合面４０２ａに蓋部材２０２の凸形状部３０２が係合する。これにより、開きバネ２０５の付勢力が受け止められ、収納室に対して電池５０１を挿脱可能な開き位置に蓋部材２０２が保持されている。
【００２１】
本実施形態では、図９の状態における蓋部材２０２の開き角度は、約１００°に設定されている。また、ベース部２０８の係合爪４０２は、比較的薄い肉厚Ｔａで成形され、過度に大きい力が加わった場合は、弾性変形可能である。係合面４０２ａは、凸形状部３０２との係合部と回動軸２０１と結ぶ線に対して略平行な面であり、係合爪４０２の係合面４０２ａの反対側の面は、斜面部４０２ｂとなっている。
【００２２】
そして、図９の状態で蓋部材２０２に対して開き方向に過度に大きな力を加えられたとき、係合爪４０２が弾性変形することで、凸形状部３０２と係合面４０２ａとの係合が解除されることになる。このため、蓋部材２０２は、開き方向に過度に大きな力が加えられても、係合爪４０２と凸形状部３０２が破損することがない。
【００２３】
図１０（ａ）は係合爪４０２と凸形状部３０２との係合が解除された後の蓋ユニット２１０の斜視図、図１０（ｂ）は図１０（ａ）のＦ部拡大図である。図１０に示すように、係合爪４０２と凸形状部３０２との係合が解除された状態では、開きバネ２０５は、蓋部材２０２と共に回転し、ベース部２０８のバネ当て部４０３に非接触の状態となる。
【００２４】
そして、蓋部材２０２は、開きバネ２０５による開き方向の付勢が解除されて自由状態となることで、蓋部材２０２やカメラ本体１０６の外観に傷がつきにくくなる。
【００２５】
図１０に示す蓋部材２０２の自由状態から蓋部材２０２を閉じ方向に回動操作すると、蓋部材２０２の凸形状部３０２がベース部２０８の係合面４０２ａの反対側の斜面部４０２ｂに当接する。
【００２６】
図１１（ａ）は蓋部材２０２の凸形状部３０２がベース部２０８の係合面４０２ａの反対側の斜面部４０２ｂに当接した状態を示す断面図、図１１（ｂ）は図１１（ａ）のＧ部拡大図である。図１１の状態における蓋部材２０２の開き角度は、約１３０°である。この状態から蓋部材２０２に対して閉じ方向の力を加えたとき、係合爪４０２は、凸形状部３０２から荷重が伝達されて弾性変形し、これにより、凸形状部３０２が斜面部４０２ｂを乗り越えて係合面４０２ａに係合し、図９の状態へと戻る。
【００２７】
このとき、凸形状部３０２が斜面部４０２ｂを乗り越えるために必要な力は、凸形状部３０２が係合面４０２ａを乗り越える力に比べて小さい。このため、蓋部材２０２に対して開き方向に過度に大きな力が加えられて係合爪４０２と凸形状部３０２との係合が解除されても、容易に元の状態に復帰させることができる。
【００２８】
図１２は、蓋部材２０２が開いた状態でのデジタルカメラ１０１を正面側から見た図である。図１２に示す状態では、蓋部材２０２は、開きバネ２０５によって開き方向に付勢され、凸形状部３０２と係合面４０２ａとが係合している。このとき、蓋部材２０２は、カメラ本体１０６に接触することはない。また、この状態で、把持部１０３を回動軸１０４を中心に図３に示す矢印Ａ側や矢印Ｂ側に回動させた場合も蓋部材２０２がカメラ本体１０６に接触することがない。その後、蓋部材２０２に対して開き方向に過度に大きな力が加えられると、前述したように、凸形状部３０２と係合面４０２ａとの係合が解除される。
【００２９】
図１３は、凸形状部３０２と係合面４０２ａとの係合が解除された後、蓋部材２０２をさらに開き方向に回動させた状態でデジタルカメラ１０１を正面側から見た図である。図１３に示す状態では、蓋部材２０２は、カメラ本体１０６の底面部と接触し、接触部において荷重を支える。本実施形態では、この状態における蓋部材２０２の開き角度は、約１５５°である。
【００３０】
ここで、蓋部材２０２の先端部に対して開き方向に加えられた荷重をＦｄとしたとき、カメラ本体１０６との接触部に作用するモーメント力は、Ｆｄ×Ｌｃとなる。荷重Ｆｄを回動軸２０１の付近で支えた場合、回動軸２０１付近の接触部に作用するモーメント力は、Ｆｄ×Ｌｂとなるため、カメラ本体１０６の接触部が受けるモーメント力は、軸部付近に荷重受け構造がある場合と比較して非常に小さい。そのため、凸形状部３０２と係合面４０２ａとの係合が解除された後、蓋部材２０２の先端部に対して開き方向に大きな荷重が加えられた場合にも、蓋部材２０２が破損することのない信頼性の高い蓋構造となる。
【００３１】
図１４は、図１２の状態から把持部１０３を回動軸１０４を中心として図３の矢印Ａ側に９０°回転させた状態のデジタルカメラ１０１を上面側から見た図である。図１４の状態では、前述したように、蓋部材２０２は、カメラ本体１０６と接触せず、その後、蓋部材２０２に対して開き方向に大きな力が加えられると、凸形状部３０２と係合面４０２ａとの係合が解除される。
【００３２】
図１５は、凸形状部３０２と係合面４０２ａとの係合が解除された後、蓋部材２０２をさらに開き方向に回動させた状態をデジタルカメラ１０１の上面側から見た図である。図１５に示す状態では、蓋部材２０２は、カメラ本体１０６の背面側に対して閉じた状態の表示ユニット１０５に接触し、接触部において荷重を支える。本実施形態では、図１５に示す状態における蓋部材２０２の開き角度は、約１８５°である。
【００３３】
ここで、蓋部材２０２の先端部に対して開き方向に加えられた荷重をＦｄとしたとき、カメラ本体１０６との接触部に作用するモーメント力は、Ｆｄ×Ｌｅとなる。荷重Ｆｄを回動軸２０１の付近で支えた場合、回動軸２０１付近の接触部に作用するモーメント力は、Ｆｄ×Ｌｂとなるため、カメラ本体１０６との接触部が受けるモーメント力は、回動軸２０１付近に荷重受け構造がある場合と比較して非常に小さい。そのため、凸形状部３０２と係合面４０２ａとの係合が解除された後、蓋部材２０２の先端部に対して開き方向に大きな荷重が加えられた場合にも、蓋部材２０２が破損することのない信頼性の高い蓋構造となる。
【００３４】
図１６は、図１２の状態から把持部１０３を回動軸１０４を中心として図３の矢印Ｂ側に９０°回転させた状態をデジタルカメラ１０１の上面側から見た図である。図１６に示す状態では、前述したように、蓋部材２０２は、カメラ本体１０６と接触しない。
【００３５】
図１７は、図１６の状態から蓋部材２０２をさらに開き方向に回動させた状態をデジタルカメラ１０１の上面側から見た図である。図１７に示す状態では、蓋部材２０２は、カメラ本体１０６の正面側に設けられたレンズ鏡筒１０２に接触し、接触部において荷重を支える。本実施形態では、図１７に示す状態における蓋部材２０２の開き角度は、約１１０°である。
【００３６】
ここで、蓋部材２０２の先端部に加えられた荷重をＦｄとしたとき、レンズ鏡筒１０２との接触部に作用するモーメント力は、Ｆｄ×Ｌｈとなる。荷重Ｆｄを回動軸２０１の付近で支えた場合、回動軸２０１付近との接触部に作用するモーメント力は、Ｆｄ×Ｌｂとなるため、レンズ鏡筒１０２との接触部が受けるモーメント力は、回動軸２０１付近に荷重受け構造がある場合と比較して非常に小さい。そのため、蓋部材２０２の先端部に対して開き方向に大きな荷重が加えられた場合にも、蓋部材２０２が破損することのない信頼性の高い蓋構造となる。
【００３７】
また、前述したように、凸形状部３０２と係合面４０２ａとの係合が完全に解除される蓋部材２０２の開き角度は、１３０°である。したがって、図１７に示す蓋部材２０２の開き角度（１１０°）では、凸形状部３０２と係合面４０２ａとの係合は、完全に解除されていない。そのため、蓋部材２０２に対する開き方向の荷重の印加を停止することで、凸形状部３０２と係合面４０２ａとが係合する状態に復帰させることができる。
【００３８】
図１８は、図１７に示すデジタルカメラ１０１を光軸方向の正面側から見た図である。図１８に示すように、蓋部材２０２は、閉じた状態で、把持部１０３の回動軸１０４を中心とする円弧形状に形成され、回動軸１０４の中心は、レンズ鏡筒１０２の中心とカメラ本体１０６の高さ方向（図１８の上下方向）において略一致している。
【００３９】
従って、本実施形態では、蓋部材２０２の先端部がカメラ本体１０６に接触する開き角度は、把持部１０３を回動軸１０４を中心として図３の矢印Ｂ側に９０°回転させたときに最も小さくなり、さらに矢印Ｂ側に回転させるに従って連続的に小さくなっていく。
【００４０】
そのため、把持部１０３を正位置や矢印Ａ側に回転させた位置で凸形状部３０２と係合面４０２ａの係合が解除された状態でも、把持部１０３を矢印Ｂ側に９０°回転させることで、凸形状部３０２と係合面４０２ａが係合した状態に復帰させることができる。
【００４１】
図１９は、蓋部材２０２を閉じた状態の把持部１０３をカメラ本体１０６の光軸方向の正面側から見た要部拡大断面図である。図１９に示すように、蓋部材２０２を閉じた状態では、凸形状部３０２及び係合爪４０２は、把持部１０３の側面カバー２１２に覆われている。これにより、蓋部材２０２の外観部に傷をつけることなく、蓋部材２０２をカメラ本体１０６に接触しない位置に保持することができる。
【００４２】
以上説明したように、本実施形態では、蓋部材２０２が所定の開き角度でそれ以上の開き方向の回動が規制された状態で、蓋部材２０２の先端部に大きな開き方向の過重が加えられても蓋部材２０２の破損を防止できる信頼性の高い蓋構造を提供することができる。
【００４３】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４４】
１０１  デジタルカメラ
１０３  把持部
１０４  回動軸
２０１  回動軸
２０２  蓋部材
２０５  開きバネ
３０２  凸形状部
４０２  係合爪
４０２ａ  係合面
４０２ｂ  斜面部
【図１】
2016166933.tif 000003
【図２】
2016166933.tif 000004
【図３】
2016166933.tif 000005
【図４】
2016166933.tif 000006
【図５】
2016166933.tif 000007
【図６】
2016166933.tif 000008
【図７】
2016166933.tif 000009
【図８】
2016166933.tif 000010
【図９】
2016166933.tif 000011
【図１０】
2016166933.tif 000012
【図１１】
2016166933.tif 000013
【図１２】
2016166933.tif 000014
【図１３】
2016166933.tif 000015
【図１４】
2016166933.tif 000016
【図１５】
2016166933.tif 000017
【図１６】
2016166933.tif 000018
【図１７】
2016166933.tif 000019
【図１８】
2016166933.tif 000020
【図１９】
2016166933.tif 000021